(57)【要約】【課題】表示された商品等の物品を、言語を介在することなく容易に特定し指示することが可能なポインティングシートを提供する。【構成】  雑誌や本のページに表示された商品等の物品の所望のものを特定するためのポインティングシート１であって、実質的に透明なシートからなり、シート面には符号Ａ，Ｂ，Ｃ，・・・、１，２，３，・・・が付与された罫線が形成されている。このポインティングシート１は、例えばその端部が雑誌等のページの端部と一致するように位置合わせしてページに重ねておくと、ページに表示された物品を特定の罫線の交点で指定することができる。このポインティングシート１を介在することにより、商品の発注者と受注者は同一雑誌の同一ページに掲載された商品について同一の商品を特定することができる。【選択図】図３
2005297524.tif 000002
【特許請求の範囲】
【請求項１】
少なくとも１の表示面を有し、当該表示面に複数の表示対象物を表示した表示物における前記表示対象物の所望のものを特定するためのポインティングシートであって、実質的に透明な平面状部材と、前記平面状部材を前記表示面の所定の位置に位置合わせするための位置合わせ手段と、前記平面状部材に形成され、平面状部材が画定する面を複数の区画に分割する複数の分割線からなる第１の線群と、前記第１の線群の複数の分割線とそれぞれ交差する複数の分割線からなる第２の線群と、前記第１及び第２の線群の分割線をそれぞれ特定する符号とを備えたことを特徴とするポインティングシート。
【請求項２】
請求項１記載のポインティングシートであって、前記第１及び第２の線群は、格子状罫線を構成することを特徴とするポインティングシート。
【請求項３】
請求項１又は２に記載のポインティングシートであって、前記表示面及び前記平面状部材は、ともに長方形であって、その直交する二辺を一致させることにより、前記平面状部材が前記表示面の所定の位置に位置合わせされることを特徴とするポインティングシート。
【請求項４】
請求項１から３いずれか１項に記載のポインティングシートであって、前記平面状部材は２枚の長方形のシートの少なくとも１辺を接合したファイリング部材からなることを特徴とするポインティングシート。
【請求項５】
少なくとも１の表示面を有し、当該表示面に複数の表示対象物を表示した表示物における前記表示対象物の所望のものを特定するポインティング方法あって、
請求項１ないし４のいずれか１項記載のポインティングシートを、前記位置合わせ手段に基づき前記表示面の所定の位置に位置合わせ、
所望の表示対象物に重なる区画線の交点を決定し、その交点で交差する２本の区画線に付せられた符号を当該所望の表示対象物の符号として特定することを特徴とするポインティング方法。
【発明の詳細な説明】
【技術分野】
【０００１】  本発明は、雑誌、カタログ、パソコン画面等に表示された商品などの物品を簡単な操作で正確に特定することが可能な部材又は手段に関する。
【背景技術】
【０００２】  週刊誌や月刊誌として市販されている雑誌の多くは、文章で書かれた記事のほかに種々のファッション、家具、装身具など商品情報が載せられており、これら商品情報は通常、商品の写真として掲載されている。近年の商品流通のグローバル化に伴い、これら雑誌は、単に国内のみならず海外にも広く頒布され、雑誌に紹介された商品等の購買層も国内に止まらず、海外にも増加している。【０００３】  一部の雑誌は、翻訳されたものが海外で出版されているが、多くの雑誌は、日本の雑誌であれば日本で出版されたものがそのまま、即ち日本語の雑誌が頒布されている。逆に外国語の雑誌がそのまま輸入されることも多く、これら母国語以外の言語で書かれた雑誌を見た読者が、雑誌で紹介された商品の購入を希望することも増えている。一般に商品の販売を目的としたカタログ等の場合には、表示された商品に付された商品番号などから商品を特定でき、商品購入を容易に行なうことができる。しかし、本来商品の販売を目的とするよりは、商品の組み合わせによるファッション等の紹介を目的とした記事では、そこに掲載された物品について説明がない場合や、価格、販売店、サイズ等の説明が全て母国語以外の言語で書かれている場合、雑誌の読者である一般消費者が雑誌に記載された情報から所望の商品を特定して販売店に注文し、購入することは非常に困難である。【０００４】  また通常、このような雑誌に紹介された商品を個人輸入する場合、仲介者が、特定された商品をまとめて輸入するケースも多く、この場合、個々の消費者（読者）は仲介者に所望する物品を特定する必要があるが、上記と同様の理由からその特定を簡単に行なうことが困難であった。そのため、仲介者側で予め掲載された商品群の各々にそれぞれ符号等を書き込んだ雑誌を配布し、この符号をもとに受注するというきわめて煩雑な作業を要していた。
【発明の開示】
【発明が解決しようとする課題】
【０００５】  そこで本発明は、表示された商品等の物品を、きわめて容易に言語を介在することなく特定し指示することが可能な手段を提供することを目的とする。これにより雑誌等を介した商品やその情報等の円滑な発注・受注を可能にすることを目的とする。
【課題を解決するための手段】
【０００６】  上記目的を達成するため、本発明は、少なくとも１の表示面を有し、当該表示面に複数の表示対象物を表示した表示物における前記表示対象物の所望のものを特定するためのポインティングシートであって、実質的に透明な平面状部材と、前記平面状部材を前記表示面の所定の位置に位置合わせするための位置合わせ手段と、平面状部材が画定する面を複数の区画に分割する複数の分割線からなる第１の線群と、前記第１の線群の複数の分割線とそれぞれ交差する複数の分割線からなる第２の線群と、前記第１及び第２の線群の分割線を特定する符号とを備えたこと特徴とするをポインティングシートを提供する。【０００７】  本発明のポインティングシートの一態様では、第１及び第２の線群は、格子状の罫線を構成する。
また本発明のポインティングシートの別の態様では、前記表示面及び前記平面状部材は、ともに長方形であって、その直交する二辺を一致させることにより、前記平面状部材が前記表示面の所定の位置に位置合わせされる。
さらに本発明のポインティングシートの別の態様では、前記平面状部材は２枚の長方形のシートの少なくとも１辺を接合したファイリング部材からなる。【０００８】  また本発明のポインティング方法は、上述したポインティングシートを用いて、少なくとも１の表示面を有し、当該表示面に複数の表示対象物を表示した表示物における前記表示対象物の所望のものを特定する方法であり、ポインティングシートをその位置合わせ手段に基づき表示面の所定の位置に位置合わせ、所望の表示対象物に重なる区画線の交点を決定し、その交点で交差する区画線に付せられた符号を当該所望の表示対象物の符号として特定するものである。
本発明において、ポインティングシートが特定する表示対象物は、雑誌や本、インターネットのホームページなどに掲載され、譲渡、貸借、使用の対象となる有形物、無形物の全て意味する。特に商取引の対象となる物品に好適に適用される。
【発明の効果】
【０００９】  本発明によれば、雑誌のページやホームページ等の表示面に表示された物品等の表示対象物に、物品特定部材をその位置が表示面の所定位置に重なるように位置合わせするだけで、物品特定部材に形成された区画線の交点を手がかりに、表示面に表示された複数の物品の所望のものと重なる交点を形成する区画線の符号を指定することにより、当該所望の物品を特定することができる。
【発明を実施するための最良の形態】
【００１０】  以下、本発明のポインティングシートの実施形態を説明する。
図１は、本発明のポインティングシートの一実施形態を示す図であり、このポインティングシート１は、適用される雑誌とほぼ同じ大きさの実質的に透明なシート１１からなり、表面或いは面内にシート面を区画に分割するための区画線１２（１２ａ、１２ｂ）が形成されている。実質的に透明であるとは、シート１１を物体に重ねたときに、その下にある物体を明瞭に視認できることを意味し、薄く着色されていてもよい。シート１１は、雑誌等に挟んで使用するため薄いものが好ましく、具体的には可撓性のあるプラスチックシートが好適である。【００１１】  図示する実施形態では、区画線１２ａはシート１１の一辺に沿って平行に描かれた横方向の罫線、区画線１２ｂは横方向の罫線と直交する縦方向の罫線であり、区画線１２の各々にはそれぞれ符号が付与されている。符号は、番号、アルファベットなどを使用でき、図示する実施例では、横方向の区画線１２ａには番号を、縦方向の区画線１２ｂにはアルファベットをａ，ｂ，ｃ・・・の順に付与し、数字とアルファベットとの組み合わせで一つの交点を特定するように構成している。なお、区画線１２ａと区画線１２ｂとに同種の符号を付与することも可能である。【００１２】  また区画線としては、線と線との交点によってシート１１上の一点が定まるものであれば、格子状の罫線に限定されず、例えば、図２に示すように、シート１１の中心を通る放射状の線群と同心円状の線群とで構成することも可能である。この場合にも、放射状の線群と同心円状の線群のそれぞれに数字及びアルファベットを順に付与することにより、各交点を特定することができる。【００１３】  さらに本発明のポインティングシートは、対象となる雑誌や本の所定位置にポインティングシートを位置づけるための位置あわせ手段を備えている。位置あわせ手段は、ポインティングシートに形成された区画線の交点によって雑誌や本のページ（表示面）の定位置に交点が位置するためのものであり、種々の態様が可能である。例えば、ポインティングシートとページの形状が全く重なる場合には、その形状自体が位置あわせ手段となる。即ちポインティングシートとページとをずれないように重ねることによりポインティングシートを定位置に位置合わせすることができる。或いはポインティングシートの隣接する二辺がページの側端と上端或いは側端と下端と一致するようにしてもよい。さらにポインティングシートに基準点を設けて、その基準点がページの角と一致するようにしてもよい。また罫線（区画線）の端部の２本を基準線とし、その基準線がページの側端と上端或いは側端と下端と一致するようにしてもよい。【００１４】  このようなポインティングシートは、例えば、雑誌の付属品として雑誌とともに提供してもよいし、Ａ４、Ｂ５などの規定のサイズのものを単独で提供してもよく、雑誌に記載された商品の購買、商品情報の取得等を希望する者が、商品或いは情報を提供する側に、該当する商品を特定して発注するために使用される。【００１５】  次にこのような構成のポインティングシートの使用方法を図３を参照して説明する。
雑誌２の、表示対象物２２、２３・・・が表示されたページ（表示面）２１にポインティングシート１を載せて、予め定められた位置あわせ手段に従い、ポインティングシート１を所定の位置に位置合わせする。位置あわせ手段がポインティングシート１の二辺である場合には、単にその二辺をページの端部を合わせて載せればよい。【００１６】  次いで複数の表示対象物のうち所望のもの（例えば２２）に重なる交点を特定する符号（縦横の罫線の符号）を確認し、その符号で所望の表示対象物２２を特定する。この場合、所望の表示対象物２２に複数の交点が重なるとしても、表示対象物２２と他の表示との境界上の交点を除けば、どの交点を指定しても目的とする表示対象物２２を特定することができる。【００１７】  こうして特定した表示対象物２２の符号を各雑誌に付けられている番号と、それが掲載されていたページ番号とともに、例えば表示対象物あるいはその情報の提供者（或るいは受注者）が用意した注文用紙に書き込む。又は、用意されたホームページ上の注文欄に入力する。受注者は注文用紙に書き込まれたページと交点を示す符号から、注文者の注文品を正確に特定することができる。受注者側の商品の特定は、予めページ及び符号と商品の対応テーブルを作成しておき、このようなテーブルを用いて行ってもよいし、発注者と同様に本発明のポインティングシートを用いて、雑誌の該当するページに位置付けし、指定された符号に位置する商品を特定してもよい。このように受注者は、注文を受け付けるために雑誌に掲載された商品群に個々のものを特定するための符号等を予め加えておく必要がなく、注文者から受け付けた符号から簡単に極めて簡単な操作で特定し、発注することができる。【００１８】  以上、本発明のポインティングシートの一実施形態とその使用方法を説明したが、本発明のポインティングシートは上記実施形態に限定されることなく種々の変更が可能である。例えば、ポインティングシートは実質的に透明であって、それを通して表示面を視認可能であればよく、表示面の視認を妨げない範囲で模様や文字などの意匠や広告を担持させることも可能である。【００１９】  また図１に示す実施形態では、１枚のシートから構成されるものを示したが、図４に示すように、２枚のプラスチックシートの少なくとも一辺を接合したものを用いることも可能である。例えば「クリアファイル」として市販されている、２枚のプラスチックシートの二辺を接合したフォルダーを利用することもできる。この場合には、目的とするページを２枚のシートの間に挟むようにして、その側端あるいは側端と下端がシートの接合部と一致するように位置決めし、一方のシートに形成された罫線の交点に基き、そのシートが重ねられたページの商品を特定する。他方のシートは、不透明や着色されていてもよく、また任意の模様や広告などを印刷してあってもよい。【００２０】  さらに以上の実施形態では、雑誌や本のページに掲載される表示対象物を特定する場合を説明したが、パソコン画面に表示された表示面（ホームページ）であっても同様に適用することが可能である。
【図面の簡単な説明】
【００２１】
【図１】  本発明のポインティングシートの一実施形態を示す図
【図２】  本発明のポインティングシートの他の実施形態を示す図
【図３】  本発明のポインティングシートを用いたポインティング方法を説明する図
【図４】  本発明のポインティングシートの他の実施形態及びその使用方法を示す図
【符号の説明】
【００２２】１・・・ポインティングシート、１１・・・シート、１２・・・区画線、２・・・雑誌、２２、２３、２４・・・表示対象物
【図１】
2005297524.tif 000003
【図２】
2005297524.tif 000004
【図３】
2005297524.tif 000005
【図４】
2005297524.tif 000006